(57)【要約】  頭皮などの皮膚には塗布液の付着を防止して、毛に対しては塗布性を向上させることができ、さらに、ガード部が皮膚に接触した場合にも痛くなりにくい毛染め容器を提供する。  本発明の毛染め容器（１）は、塗布液が収納される塗布液収納部（１０）と、塗布液収納部（１０）内の塗布液を露出する部分へ供給することができる塗布液供給部（１１）と、塗布液供給部（１１）の先端側に位置する露出部分に配置されるガード部（１２）を有している。そして、ガード部（１２）は塗布液供給部（１１）の先端部（４０）を部分的に覆うものであり、棒状部（１２ａ）が複数設けられて櫛歯状となっている。そして、棒状部（１２ａ）の先端部分には他の部分よりも大きな径の球状部分である先端球状部（１２ｂ）が形成されている。
2007066764.tif 000002
【特許請求の範囲】
【請求項１】
塗布液が収納される塗布液収納部と、塗布液収納部の塗布液を先端の露出部分へ供給することができる塗布液供給部と、前記塗布液供給部の先端の露出部分に配置されて塗布液供給部を部分的に覆うガード部とを有し、
ガード部は、塗布液供給部の先端側に向かって延びる棒状部が複数設けられて櫛歯状となっており、棒状部の一部又は全部の先端部分には他の部分よりも大きな径の球状部分である先端球状部が形成されていることを特徴とする毛染め容器。
【請求項２】
塗布液供給部には、先端側に向かう方向である突出方向と、突出方向に対して垂直な方向である幅方向及び厚み方向とを有し、ガード部は厚み方向の両面である２つの面に独立して形成されており、塗布液供給部の先端付近は、厚み方向の長さが先端ほど短くなる先細り形状であることを特徴とする請求項１に記載の毛染め容器。
【請求項３】
棒状部の先端球状部は、塗布液供給部の先端付近で幅方向に並んでいるものであることを特徴とする請求項２に記載の毛染め容器。
【請求項４】
厚み方向の少なくとも一方の面に配置される棒状部が同じ形状であって、先端球状部が塗布液供給部の先端付近で幅方向に並んでいるものであることを特徴とする請求項３に記載の毛染め容器。
【請求項５】
厚み方向の一方の面に配置される棒状部の先端球状部と、他方の面に配置される棒状部の先端球状部とが、塗布液供給部の先端付近で幅方向に交互に並んでいるものであることを特徴とする請求項３に記載の毛染め容器。
【請求項６】
塗布液が収納される塗布液収納部と、塗布液収納部の塗布液を先端の露出部分へ供給することができる塗布液供給部と、前記塗布液供給部の先端の露出部分に配置されて塗布液供給部を部分的に覆うガード部とを有し、
塗布液供給部には、先端側に向かう方向である突出方向と、突出方向に対して垂直な方向である幅方向及び厚み方向とを有し、塗布液供給部の先端付近は、幅方向の長さが先端ほど短くなる先細り形状であり、
ガード部は塗布液供給部の厚み方向の一方の面から塗布液供給部の先端側に向かって延びて他方の面に至る棒状部が複数設けられており、ガード部の塗布液供給部の先端付近には他の部分よりも大きな径の球状部分である先端球状部が形成されていることを特徴とする毛染め容器。
【請求項７】
棒状部は、塗布液供給部の厚み方向の両面の表面部分に沿うように延びているものであることを特徴とする請求項１〜６のいずれかに記載の毛染め容器。
【請求項８】
開閉可能な弁機構が設けられており、開状態の時に塗布液を供給するものであることを特徴とする請求項１〜６のいずれかに記載の毛染め容器。
【請求項９】
請求項１〜６のいずれかに記載の毛染め容器と、毛染めのための塗布液を有しており、前記塗布液は塗布液収納部に収納されていることを特徴とする毛染め具。
【発明の詳細な説明】
【技術分野】
【０００１】
本発明は、一時染め（白髪かくし）やヘアマニキュアのためのマーカータイプの毛染め容器、特に生えぎわ用やリタッチ用に適した毛染め容器と、当該毛染め容器を用いた毛染め具に関するものである。
【背景技術】
【０００２】
従来より、一時染め（白髪かくし）やヘアマニキュアなどのように、頭髪などの毛を着色するための液を塗布し、所望の色に毛の色を変えることが行われている。
このような着色するための液である塗布液を塗布する方法には色々な方法があるが、特許文献１に記載されているもののように、フェルトなどで形成された塗布液供給部に塗布液を供給して、塗布液供給部を毛に接触させることにより毛を着色する方法がある。【０００３】
【特許文献１】実開昭６０−８３５０４号公報
【発明の開示】
【発明が解決しようとする課題】
【０００４】
塗布液供給部を毛に接触させる際には、頭皮などの皮膚に接触してしまい、皮膚に塗布液が付着して皮膚を着色させてしまうおそれがある。そのため、特許文献１の毛染め容器では、塗布液供給部の突出部表面の一部を覆うようにガード部が設けられている。
この特許文献１の毛染め容器のガード部は、塗布液供給部の幅に応じて２本以上平行に設けられたものであり、ガード部の間から毛髪が塗布液供給部に接触して塗布するものである。【０００５】
このようなガード部を設けることにより、塗布液の皮膚への付着を低減させることはできるが、皮膚への付着の低減と、毛への塗布性の向上の両立は難しいものであった。また、塗布の際には毛染め容器を押しつけることが必要であるが、押しつけ過ぎた場合には、皮膚にガード部が接触してしまい痛みが発生してしまう。【０００６】
そのため、頭皮などの皮膚には塗布液の付着を防止し、毛髪の根元部分にも塗布させやすくするなど、毛髪に対しては塗布性を向上させることができ、さらに、ガード部が皮膚に接触した場合にも痛くなりにくい毛染め容器の開発が望まれている。【０００７】
そこで、本発明は、塗布性を向上させながら、ガード部が皮膚に接触した場合にも痛くなりにくく、根元ぎりぎりまで着色できる毛染め容器を提供することを課題とする。
【課題を解決するための手段】
【０００８】
上記した目的を達成するため、本発明の毛染め容器は、塗布液が収納される塗布液収納部と、塗布液収納部の塗布液を先端の露出部分へ供給することができる塗布液供給部と、前記塗布液供給部の先端の露出部分に配置されて塗布液供給部を部分的に覆うガード部とを有し、ガード部は、塗布液供給部の先端側に向かって延びる棒状部が複数設けられて櫛歯状となっており、棒状部の一部又は全部の先端部分には他の部分よりも大きな径の球状部分である先端球状部が形成されていることを特徴としている。【０００９】
本発明によれば、塗布液収納部に収納される塗布液を、ガード部によって部分的に覆われた塗布液供給部の露出する部分へ供給するものであり、ガード部は、塗布液供給部の先端側に向かって延びる棒状部が複数設けられて櫛歯状となっており、棒状部の一部又は全部の先端部分には他の部分よりも大きな径の球状部分である先端球状部が形成されているものであるので、ガード部によって塗布液を皮膚に接触させにくくしながら、ガード部が皮膚に接触した場合にも先端球状部により痛くなりにくくすることができる。また、塗布液を毛に付着させる際に、先端球状部の間に毛が毛束となって複数に分割された状態で入り込んで、さらに、先端球状部と先端の露出部分の間に毛を誘導して、毛がこの露出部分に接触するので塗布性が向上する。【００１０】
また、塗布液供給部に、先端側に向かう方向である突出方向と、突出方向に対して垂直な方向である幅方向及び厚み方向とを設け、ガード部は厚み方向の両面である２つの面に独立して形成されており、塗布液供給部の先端付近は、厚み方向の長さが先端ほど短くなる先細り形状とすることができる。【００１１】
上記構成によれば、塗布液供給部の先端付近は、厚み方向の長さが先端ほど短くなる先細り形状であり、ガード部は厚み方向の両面である２つの面に独立して形成されているので、傾斜した場合でも塗布液を塗布しやすい。【００１２】
さらに、棒状部の先端球状部は、塗布液供給部の先端付近で幅方向に並んでいるものであってもよい。【００１３】
上記構成によれば、棒状部の先端球状部は、塗布液供給部の先端付近で幅方向に並んでいるものであるので、塗布液供給部の先端付近を毛との間で相対移動させて塗布する場合に、均等に当たりやすくなって塗布作業を行いやすい。【００１４】
また、厚み方向の少なくとも一方の面に配置される棒状部が同じ形状であって、先端球状部が塗布液供給部の先端付近で幅方向に並んでいる構成を採用することができる。【００１５】
上記構成によれば、厚み方向の少なくとも一方の面に配置される棒状部が同じ形状であって、先端球状部が塗布液供給部の先端付近で幅方向に並んでいるので、使用時に、より均等に当たりやすくなって塗布作業を行いやすい。【００１６】
厚み方向の一方の面に配置される棒状部の先端球状部と、他方の面に配置される棒状部の先端球状部とが、塗布液供給部の先端付近で幅方向に交互に並んでいてもよい。【００１７】
また、上記した目的を達成するため、本発明の毛染め容器として、塗布液が収納される塗布液収納部と、塗布液収納部の塗布液を先端の露出部分へ供給することができる塗布液供給部と、前記塗布液供給部の先端の露出部分に配置されて塗布液供給部を部分的に覆うガード部とを有し、塗布液供給部には、先端側に向かう方向である突出方向と、突出方向に対して垂直な方向である幅方向及び厚み方向とを有し、塗布液供給部の先端付近は、幅方向の長さが先端ほど短くなる先細り形状であり、ガード部は塗布液供給部の厚み方向の一方の面から塗布液供給部の先端側に向かって延びて他方の面に至る棒状部が複数設けられており、ガード部の塗布液供給部の先端付近には他の部分よりも大きな径の球状部分である先端球状部が形成されていることを特徴とする毛染め容器である。【００１８】
上記構成によれば、ガード部の塗布液供給部の先端付近には他の部分よりも大きな径の球状部分である先端球状部が形成されているので、ガード部によって塗布液を皮膚に接触させにくくしながら、ガード部が皮膚に接触した場合にも先端球状部によって痛くなりにくくすることができる。また、塗布液を毛に付着させる際に、先端球状部の間に毛が毛束となって複数に分割された状態で入り込んで、さらに、先端球状部と先端の露出部分の間に毛を誘導して、毛がこの露出部分に接触するので塗布性が向上する。【００１９】
また、棒状部は、塗布液供給部の厚み方向の両面の表面部分に沿うように延びているものであってもよい。【００２０】
塗布液収納部から塗布液供給部への塗布液の供給方法は、毛細管現象を利用する他、開閉可能な弁機構を設けて、開状態の時に塗布液を供給するようにする構造を採用することができる。【００２１】
さらに、上記の毛染め容器を用いて毛染め具として用いることもできる。
【発明の効果】
【００２２】
本発明の毛染め容器では、先端球状部によって塗布性を向上させることができ、ガード部が皮膚に接触した場合にも痛くなりにくい。
【図面の簡単な説明】
【００２３】
【図１】本発明の第１の実施形態における毛染め容器の斜視図である。
【図２】図１に示す毛染め容器の分解斜視図である。
【図３】図１に示す毛染め容器の図であり、（ａ）が正面図、（ｂ）が側面図、（ｃ）が平面図、（ｄ）が（ａ）のＡ−Ａ断面図である。
【図４】図１に示す毛染め容器の先端部分を示した一部分解斜視図である。
【図５】図１に示す毛染め容器の塗布液供給部及びガイド部を拡大した平面図である。
【図６】変形例における毛染め容器の塗布液供給部及びガイド部を拡大した平面図である。
【図７】変形例における毛染め容器の塗布液供給部及びガイド部を拡大した平面図である。
【図８】本発明の第２の実施形態における毛染め容器の図であり、（ａ）が正面図、（ｂ）が側面図、（ｃ）が平面図、（ｄ）が（ａ）のＡ−Ａ断面図である。
【図９】本発明の第３の実施形態における毛染め容器の図であり、（ａ）が正面図、（ｂ）が側面図、（ｃ）が平面図、（ｄ）が（ａ）のＡ−Ａ断面図である。
【図１０】本発明の第４の実施形態における毛染め容器の図であり、（ａ）が正面図、（ｂ）が側面図、（ｃ）が平面図、（ｄ）が（ａ）のＡ−Ａ断面図である。
【図１１】本発明の第５の実施形態における毛染め容器の図であり、（ａ）が正面図、（ｂ）が側面図、（ｃ）が平面図、（ｄ）が（ａ）のＡ−Ａ断面図である。
【符号の説明】
【００２４】
１、２、３、７、８  毛染め容器
５    毛染め用具
１０  塗布液収納部
１１  塗布液供給部
１１ｂ  先細り部分
１２、５０、５５  ガード部
１２ａ  棒状部
１２ｂ、５３、５７  先端球状部
４０  先端部
Ｌ    突出方向
Ｔ    厚み方向
Ｗ    幅方向
【発明を実施するための最良の形態】
【００２５】
以下さらに本発明の具体的実施例について説明する。【００２６】
本発明の第１の実施形態の毛染め容器１は、図１、図２、図３に示されており、塗布液収納部１０、塗布液供給部１１及びガード部１２を有している。
そして、塗布液収納部１０には塗布液が収納されており、この塗布液を塗布液供給部１１の露出している部分である先端部４０に供給して、塗布液供給部１１の先端部４０を毛髪などの毛に接触させて塗布する。また、塗布液供給部１１の先端側には、ガード部１２が配置されている。そして、ガード部１２に設けられる棒状部１２ａによって、塗布液供給部１１を部分的に覆っており、塗布の際に、皮膚への塗布液の付着を防止することができる。【００２７】
毛染め容器１の全体形状は棒状であり、塗布液供給部１１の先端部４０が設けられている側の端部を除いて、外形は円形である。なお、図示しない蓋部材を用いる場合、外形が円形であるものを採用して前記蓋部材を用いて蓋をすることにより、全体形状を円柱状とすることができる。
そして、塗布液供給部１１の先端部４０は一方の端部に配置しており、また、塗布液供給部１１の先端部４０は長手方向に突出している。【００２８】
本実施形態の毛染め容器１に使用される塗布液供給部１１は、図２に示されるように、全体が棒状であり、先端部４０付近が先細りして先細り部分１１ｂが形成されており、また、他の部分は本体部分１１ａとなっている。
そして、先端部４０が突出する突出方向Ｌと、突出方向Ｌに対して垂直な関係である幅方向Ｗ及び厚み方向Ｔを有しており、先細り部分１１ｂでは、突出方向Ｌの先端付近の厚み方向Ｔの長さが先端ほど短くなっている。また、塗布液供給部１１の全域で、突出方向Ｌ及び幅方向Ｗの長さはほとんど同じである。【００２９】
先細り部分１１ｂの表面は全体的に曲面状であり、厚み方向の裏表の２ヵ所の表面４１、４２を段差無くなめらかにつないでいる。したがって、先端部４０を毛髪に接触させて塗布する場合に、毛染め容器１と頭との間の角度に関係なく塗布することができる。【００３０】
塗布液供給部１１は、塗布液収納部１０に収納された塗布液を供給することができる部分であり、塗布液供給部１１の先端部４０を毛に接触させることにより塗布液を塗布するものである。そして、塗布液供給部１１の材質は塗布液を染み込ませることができる材質であり、フェルトや繊維束などの材質が用いられている。【００３１】
ガード部１２は、塗布液供給部１１よりも先端側に配置されて、塗布液供給部１１の先端部４０を部分的に覆っている。そして、毛染め容器１が使用される場合に、毛への塗布を可能にしつつ、皮膚への塗布液の付着を低減することができる。【００３２】
ガード部１２には、図４に示されるように、棒状部１２ａ、本体部４４及び固定板４３が設けられている。そして、棒状部１２ａは複数設けられており、厚み方向Ｔの両側の２列に幅方向Ｗに並んだ配置となっており、各列で櫛歯状となっている。また、棒状部１２ａは円柱棒状であり、先端側に向かって延びるように配置しており、先端付近は厚み方向Ｔの内側に向かって湾曲している。この湾曲は、塗布液供給部１１の先細り部分１１ｂの形状に合わせられており、棒状部１２ａは先細り部分１１ｂの表面に沿って湾曲している。
棒状部１２ａ同士の間の距離はほぼ同じであり、棒状部１２ａは均等な間隔で並んでいる。【００３３】
また、棒状部１２ａの先端部分には先端球状部１２ｂが形成されている。先端球状部１２ｂは棒状部１２ａの他の部分より大きな径の球状である。この先端球状部１２ｂは、角張った部分がない形状であれば完全な球でなくても良い。また、先端球状部１２ｂは先端側が球状であれば反対側が球状でなくてもよい。本実施形態の先端球状部１２ｂは、全て同じ大きさであるが、違う大きさのものがあっても良い。【００３４】
そして、図４に示されるように、本実施形態の棒状部１２ａの長さや形状は各列で同じであるので、先端球状部１２ｂの配置も幅方向Ｗに並んでいる。本実施形態では、全ての棒状部１２ａに先端球状部１２ｂが形成されているので、図３（ｃ）や図５に示されるように、先端球状部１２ｂが２列に並んだ状態となっており、それぞれの列は直線状であって平行な関係となっている。
なお、本実施形態では全ての棒状部１２ａに先端球状部１２ｂが形成されているものであるが、一部の棒状部１２ａにのみ形成することもできる。【００３５】
棒状部１２ａの先端付近は、先細り部分１１ｂの表面に沿って湾曲し、先端側ほど厚み方向の内側に向かうように湾曲しているので、先端球状部１２ｂ同士の間の距離は小さくなっている。したがって、先端球状部１２ｂ同士の間が狭く、毛染め容器１を使用する際に、塗布液供給部１１の先端部４０が皮膚に接触しにくくすることができ、皮膚への塗布液の付着を低減することができる。【００３６】
本体部４４は枠状であり、幅方向Ｗ及び厚み方向Ｔの内側の長さは、塗布液供給部１１の外形に合わせられている。そして、本体部４４の内側に、塗布液供給部１１の先細り部分１１ｂが挿入されてガイドされる。
また、本体部４４には２ヵ所の側板４５が形成されている。側板４５は、塗布液供給部１１の先細り部分１１ｂの幅方向Ｗの両側を覆うように配置されるものである。そのため、使用時に、塗布液供給部１１の先細り部分１１ｂなどに誤って接触することがない。【００３７】
固定板４３は本体部４４に接続しており、厚み方向Ｔに対向するように２枚設けられている。そして、２ヵ所の固定板４３は塗布液収納部１０の先端部材２３の開口突出部３３の外側に挟むように配置しており、ガード部１２の固定板４３と先端部材２３の開口突出部３３との固定が行われる。
なお、固定板４３と開口突出部３３との固定部分に、係合可能な凹部と凸部などを設けることもできる。かかる場合には、上記固定をより強固にすることができる。【００３８】
塗布液収納部１０は、塗布液である毛染め液を収納する部分であり、本体容器２１、パッキン２２、先端部材２３及び塗布液保持材２５が設けられている。【００３９】
本体容器２１は、有底円筒状の部材であって、底部２６、円筒部２７、開口部２８を有している。そして、図３（ｄ）に示されるように、円筒部２７には大径部２７ｂと、大径部２７ｂよりも内径及び外径が小さくなっている小径部２７ａが形成されている。
小径部２７ａは開口部２８付近に位置している。また、小径部２７ａの外周には、ねじ部２７ｃが設けられており、先端部材２３と螺合して固定することができる。
本実施形態の本体容器２１はアルミ製であるが、塗布液に用いられる水や溶剤などに対して影響が少なく、かつ影響を受けにくい材質であればよく、アルミ以外の金属製のものや、ＰＰ（ポリプロピレン）、ＰＥ（ポリエチレン）、ＰＯＭ（ポリアセタール）、ＰＢＴ（ポリブチレンテレフタレート）などの樹脂製のものや、他の材質のものを用いることができる。【００４０】
本体容器２１の内部空間には、塗布液保持材２５が配置している。塗布液保持材２５は、毛染めのための塗布液を保持することができるものであり、綿などが用いられている。なお、後述する毛染め容器７、８のように、他の構造によって、本体容器２１に充填された塗布液を先端部４０に供給することができる。【００４１】
毛染めのための塗布液は、従来技術のものを用いることができ、例えば、着色された液などを使用することができる。
具体的には、以下のような配合の塗布液を用いることができるが、本発明の毛染め容器１に充填する塗布液はこれに限られることはない。
第１番目の塗布液の配合は、ベーシックブラウン１６を１．０％、マイブロックワコー１０１を８．０％、ベンジルアルコールを６．０％、２８％アンモニア水を１．２％、エタノールを５３．８％、残りが精製水である。
また、第２番目の塗布液の配合は、だいだい色２０５号を０．７７％、紫色４０１号を０．１５％、黒色４０１号を０．１９％、赤色２２７号を０．０９％、マイブロックワコー１０１を８．０％、グリコール酸（７０％）を３．０％、エタノールを５９．８％、残りが精製水である。
第３の塗布液の配合は、だいだい色２０５号を０．１０％、紫色４０１号を０．４２％、黒色４０１号を０．０８％、黄色４０６号を０．１０％、ダイヤフォーマーＺ６３１を３．３％、乳酸を２．０％、ベンジルアルコールを６．０％、エタノールを４８．０％、残りが精製水である。
第４の塗布液の配合は、チタンブラックを４．０％、黄酸化鉄を２．０％、ユカフォーマーＡＭ−７５  ２０１を１５．０％、ポリビニルヒドリンを１．０％、エタノールを７３．０％、残りが精製水である。
マイブロックワコー１０１（商品名、和光純薬工業株式会社製）は、メタクリル酸・メタクリル酸アルキル・ジメチルポリシロキサンブロック共重合体液である。その組成は、固体分２５％、エタノール７５％である。
ダイヤフォーマーＺ６３１（商品名、三菱化学株式会社製）は、Ｎ，Ｎ  ジメチル−Ｎ−（２−メタクロイルオキシエチル）アミン＝Ｎ−オキシド・メタクリル酸アルキルエステル共重合体液である。その組成は、固形分３０％、精製水８％、エタノール６２％である。
ユカフォーマーＡＭ−７５  ２０１（商品名、三菱化学株式会社製）は、Ｎ−メタクリロイルエチル−Ｎ，Ｎ−ジメチルアンモニウム−α−Ｎ−メチルカルボキシベタイン・メタクリル酸ブチル共重合体液である。その組成は、固形分４０％、エタノール６０％である。
尚、配合量「％」は、いずれも「重量％」を表す。【００４２】
塗布液保持材２５は、図３（ｄ）に示されるように、本体容器２１の大径部２７ｂの全域と、小径部２７ａの一部の領域に配置している。そのため、塗布液保持材２５の先端側が、小径部２７ａにより縮径するように変形することとなり、本体容器２１の内部空間内で塗布液保持材２５が先端側にずれにくくなっている。【００４３】
そして、図３（ｄ）に示されるように、塗布液保持材２５の先端側は塗布液供給部１１の後端側と接触しており、塗布液保持材２５に保持された塗布液を塗布液供給部１１へ供給することができる。【００４４】
パッキン２２は、図２に示されるように、長方形状の貫通孔２２ａが形成された部材であり、図３（ｄ）に示すように、本体容器２１の開口部２８に配置される。そして、貫通孔２２ａは、塗布液供給部１１の断面形状に合わせた形状であり、塗布液供給部１１は貫通孔２２ａに挿入される。そして、塗布液供給部１１が貫通孔２２ａに挿入されると、パッキン２２と塗布液供給部１１とが密着状態となる。【００４５】
パッキン２２は、毛染め容器１に用いられる塗布液が浸透しにくい材質のものが用いられており、塗布液供給部１１からパッキン２２へと塗布液が移動しにくくなっている。
また、パッキン２２の外形は開口部２８や先端部材２３の内形に合わせた形状であって、パッキン２２は開口部２８と先端部材２３の段部２３ａとの間で挟まれているので、パッキン２２は内部でずれにくい。したがって、パッキン２２と、先端部材２３の開口部３０とによって、貫通孔２２ａに挿入される塗布液供給部１１の位置ずれを防止することができる。
さらに、本体容器２１とパッキン２２によって、貫通孔２２ａ以外の部分は封鎖されて密閉状態となるので、塗布液供給部１１  以外から塗布液が漏れることがない。【００４６】
先端部材２３は、図３（ｄ）に示されるように、大径内ねじ部３１、中径部３２、開口突出部３３が形成されているものであり、内部は貫通した状態となっている。そして、大径内ねじ部３１と開口突出部３３との間に中径部３２が配置しており、大径内ねじ部３１が本体容器２１側となるように配置される。【００４７】
大径内ねじ部３１は内側に雌ねじ状のねじ部３１ａが設けられており、このねじ部３１ａは、本体容器２１の小径部２７ａに設けられたねじ部２７ｃと螺合することができ、本体容器２１と先端部材２３とを一体化することができる。
また、大径内ねじ部３１の外周は周方向に凹凸状となっており、大径内ねじ部３１を握って回転させやすく、上記螺合を容易に行うことができる。【００４８】
また、中径部３２は、大径内ねじ部３１よりも内径及び外径が小さい部分であり、中径部３２と大径内ねじ部３１との境界部分の内側に段部２３ａが設けられている。そして、上記したように、パッキン２２を、中径部３２と、本体容器２１の開口部２８との間に挟むことにより固定している。
なお、大径内ねじ部３１及び中径部３２の内形は、塗布液供給部１１の本体部分１１ａの外形よりも大きいものであり、塗布液供給部１１を挿入することができる。【００４９】
開口突出部３３の内形は、塗布液供給部１１の本体部分１１ａの外形とほぼ同じである。そして、開口突出部３３に塗布液供給部１１が挿入されると、開口突出部３３によって保持される。また、開口突出部３３の厚み方向Ｔの外幅は、ガード部１２の固定板４３の内幅に合わせられている。【００５０】
ガード部１２や先端部材２３は樹脂成形品が用いられている。そして、ガード部１２や先端部材２３の材質は特に限定されるものではないが、塗布液に対して影響が少なく、塗布液によって影響を受けにくい部材が望ましい。
ガード部１２や先端部材２３の具体的な材質としては、ＰＰ（ポリプロピレン）、ＰＯＭ（ポリアセタール）、ＡＢＳ（アクリロニトリル−ブタジエン−スチレン樹脂)などの材質のように、塗布液に影響しにくく、塗布液が接触しても強度を維持することができるものを採用することができる。【００５１】
毛染め容器１を使用する場合には、塗布液収納部１０の塗布液保持材２５に所定の塗布液を充填し、図１に示すように組み立てた状態として毛染め用具５とする。そして、塗布液が塗布液保持材２５から塗布液供給部１１に供給され、塗布液供給部１１の先端部４０を毛髪などの毛に接触させて使用する。【００５２】
先端部４０を毛に接触させる場合、先端部４０を毛の根元に押しつけて、押しつけた状態で毛の延びる方向に毛染め容器１を移動させる。このとき、塗布液供給部１１の厚み方向Ｔを毛の延びる方向に合わせ、毛染め容器１の移動方向が平行となるようにする。そうすると、櫛歯状となっている棒状部１２ａが、毛に引っ掛かりにくくなり、また、塗布性が向上する。【００５３】
棒状部１２ａの先端部分に設けられる先端球状部１２ｂは、他の部分よりも大きな径の球状部分であるので、毛は先端球状部１２ｂの間に毛が毛束となって複数に分割された状態で入り込み、先端球状部１２ｂと先端部４０の間に毛を誘導する。そして、入り込んだ毛は先端球状部１２ｂに引っ掛かるので離脱しにくく、先端球状部１２ｂと先端部４０との間に挟まれて先端部４０に接触するので、さらに塗布性が向上する。
さらに、棒状部１２ａは先端が湾曲して変形しやすく、また、先端球状部１２ｂが形成されているので、棒状部１２ａが頭皮などの皮膚に接触した場合にも、押圧力が小さくなりやすく痛くない。【００５４】
なお、毛染め容器１を使用しない場合に、塗布液供給部１１の先端部４０に露出した塗布液が乾燥するなどして使用できなくなるおそれがあるので、図示しない蓋部材を用い、先端部４０が密閉状態となるようにして保管される。【００５５】
ガード部１２の棒状部１２ａは、他の構造を採用することができる。
例えば、図６に示されるガード部５０のように、厚み方向Ｔの一方の面に配置される棒状部５１と、この棒状部５１に対向する位置の他方の面に配置される棒状部５２の内、一方のみに先端球状部５３を設けることができる。そして、ガード部５０では、先端球状部５３を設ける棒状部５１、５２を互い違いに配置して交互に並んだ状態となっている。
そして、これらの先端球状部５３は、塗布液供給部１１の先端部４０付近で幅方向Ｗに並んだ状態となっている。【００５６】
また、図７に示されるガード部５５のように、厚み方向Ｔの両側の面に配置される棒状部５６を連結して一本にすることができる。そして、先端球状部５７は、塗布液供給部１１の先端部４０付近に配置するようにして、幅方向Ｗに並んだ状態となっている。【００５７】
ガード部５０やガード部５５を用いた場合にも、上記のものと同様に、先端球状部５３、５７によって、使用時に痛くないようにすることができる。
なお、ガード部５０、５５の他の構造については、ガード部１２と同様である。【００５８】
さらに、図８に示される第２の実施形態における毛染め容器２を採用することができる。毛染め容器２は、上記した毛染め容器１と比較して、塗布液供給部１１及びガード部１２の形状異なるものである。なお、毛染め容器２の他の構造、例えば、塗布液収納部１０の本体容器２１や塗布液保持材２５などについては、毛染め容器１と同様である。【００５９】
毛染め容器２の塗布液供給部１１は、図８（ａ）に示されるように、先端部４０が露出して塗布液を供給することができる。そして、先端部４０付近が先細りしており、先細り部分１１ｂが形成されている。
また、先端部４０は幅方向Ｗに対して傾斜しており、突出方向Ｌの長さが場所によって異なっている。【００６０】
そして、塗布液供給部１１の先端部４０の形状に対応して、ガード部１２の棒状部１２ａや側板４５が形成されている。
毛染め容器２のガード部１２においても、棒状部１２ａは厚み方向Ｔの両側の２列に幅方向Ｗに並んだ配置であって各列で櫛歯状となっており、また、側板４５は塗布液供給部１１の先端部４０の幅方向Ｗの両側を覆うように配置されるものである。そして、棒状部１２ａは、先端部４０の表面に沿うような形状であり、塗布液供給部１１の先端部４０の突出長さが短い部分に配置される棒状部１２ａの短く、先端部４０の突出長さが長い部分に配置される棒状部１２ａの長くなっている。【００６１】
また、ガード部１２の２枚の側板４５は、塗布液供給部１１の先端部４０のの幅方向Ｗの両側を覆うように配置されるものであり、使用時に誤って接触することがないようにするものである。そして、側板４５の長さは先端部４０の突出量に合わせられおり、両側の側板４５の間で長さが異なっている。【００６２】
そして、毛染め容器２を使用する場合、先端部４０は幅方向Ｗに対して傾斜しているので、本体容器２１を傾斜させた状態で押しつけて使用することができる。また、上記した毛染め容器１を用いる場合と同様に、棒状部１２ａの先端部分に設けられ、他の部分よりも大きな径の球状部分である先端球状部１２ｂが設けられているので、使用時には、毛は先端球状部１２ｂの間に毛が毛束となって複数に分割された状態で入り込み、先端球状部１２ｂと先端部４０の間に毛を誘導して塗布性を向上させることができる。【００６３】
また、図９〜図１１に示す第３〜５の実施形態における毛染め容器３、７、８を用いることができる。
第３の実施形態における毛染め容器３は、上記した第１の実施形態の毛染め容器１と比較して、ガード部１２の棒状部１２ａの形状が異なるものである。すなわち、毛染め容器３の棒状部１２ａは断面が偏平している棒状であり、厚み方向Ｔの幅が幅方向Ｗの幅よりも長くなっている。そのため、毛染め容器３を使用する際に、毛の方向をより整列させることができる。また、棒状部１２ａの先端付近で、塗布液供給部１１との間に間隙が形成されているので、この間隙に毛髪が挟まれ、挟まれた毛髪が塗布液供給部１１の先端部４０付近に強く接触するため、さらに塗布性を向上させることができる。【００６４】
図１０、図１１に示される第４、第５の実施形態における毛染め容器７、８は、弁機構６０、６１が用いられるものであり、弁機構６０、６１の開閉によって、塗布液収納部１０から塗布液供給部１１への塗布液の供給を制御するものである。【００６５】
第４の実施形態の毛染め容器７の塗布液収納部１０には、内軸６３と、内軸６３を軸方向に移動自在に収納している外軸６５とを有している。そして、外軸６５の前端側に塗布液供給部１１が取り付けられている。
また、内軸６３は有底筒状であって上記した塗布液が収納されている。そして、内軸６３の塗布液供給部１１側には、図１０（ｄ）に示すように弁機構６０が配置されている。この弁機構６０の先には塗布液供給部１１が配置しており、弁機構６０が開状態となると、内軸６３内の塗布液が塗布液供給部１１へと供給される。【００６６】
この弁機構６０は、ばね６２によって、閉状態となるように付勢されているが、内軸６３を外軸６５に対して移動させると、弁機構６０が開状態となるものである。本実施形態では、内軸６３の底部６３ａ付近が外軸６５から露出しており、この底部６３ａを押すことにより、内軸６３を外軸６５に対して前進させ、弁機構６０を開状態とすることができる。
したがって、毛染め容器７を用いて毛染めを行う場合、使用の前、或いは、使用中に塗布液を供給する必要があるが、必要に応じて内軸６３の底部６３ａを押すことにより、塗布液を適量供給することができる。【００６７】
第４の実施形態の毛染め容器７に用いられる塗布液として、微粒子などを溶媒に分散させた分散液を用いることができる。このように、塗布液に分散液が用いられている場合、塗布液が収納されている内軸６３の内部に攪拌球を入れてもよい。そして、使用前に振ることにより、攪拌球が移動して塗布液の微粒子などを確実に分散させることができる。【００６８】
第５の実施形態の毛染め容器８は、塗布液供給部１１が移動可能になっているものである。通常、塗布液供給部１１は、ばね６２によって突出する方向に付勢されて、弁機構６１が閉状態となっている。そして、毛髪などの塗布対象への塗布の際などに行われる押し付けによって、塗布液供給部１１が退入して、弁機構６１が開状態となり、塗布液収納部１０から塗布液供給部１１へと塗布液を供給する。【００６９】
本実施形態では、ガード部１２と先端部材２３との間で、スライド移動可能になっており、ガード部１２と塗布液供給部１１とが一体的に移動する。そのため、ガード部１２と塗布液供給部１１との位置関係が変化せず、使用時の塗布性の向上を維持することができる。なお、ガード部１２を変形容易な材質を用い、ガード部１２と塗布液供給部１１との間で移動可能とする構造も採用することができる。【００７０】
第５の実施形態の毛染め容器８を使用する場合には、塗布の際などに塗布液供給部１１が退入して弁機構６１が開状態となるので、使用に応じて適量の塗布液を先端部４０へと供給することができる。
【産業上の利用可能性】
【００７１】
毛染めの際に、塗布性を向上させながら、ガード部が皮膚に接触した場合にも痛くなりにくい容器に利用することができる。
【図１】
2007066764.tif 000003
【図２】
2007066764.tif 000004
【図３】
2007066764.tif 000005
【図４】
2007066764.tif 000006
【図５】
2007066764.tif 000007
【図６】
2007066764.tif 000008
【図７】
2007066764.tif 000009
【図８】
2007066764.tif 000010
【図９】
2007066764.tif 000011
【図１０】
2007066764.tif 000012
【図１１】
2007066764.tif 000013
【国際調査報告】
2007066764.tif 000014
2007066764.tif 000015
2007066764.tif 000016
2007066764.tif 000017